(57)【要約】【課題】  液晶表示パネルの画素ピッチを細密化しても接続電極パッド幅を大きく確保し、配線電極間の絶縁を保ち各配線の電気的特性を揃える。【解決手段】  隣接する１組の表示電極（Ｙ１、Ｙ２、Ｙ３）が配線電極（１１３、１１４、１１５）を介して接続電極パッド（１１６、１１７、１１８）に接続する液晶表示パネルにおいて、前記１組の表示電極幅内に前記表示電極に対応する前記接続電極パッドを表示領域（４０１）の外周辺に対して直交方向に直列配置し、表示領域から遠い接続電極パッドに接続される配線電極は前記表示領域から近い接続電極パッドの側辺を通すことを特徴とする。【選択図】      図１
2006227229.tif 000002
【特許請求の範囲】
【請求項１】
第１の基板と第２の基板の間隙に液晶層を有し、前記第１の基板上に設ける表示電極と、第２の基板上に設ける対抗電極との重なり部を画素部として表示領域を形成し、該表示領域は複数の行と列に画素部を設けるマトリックス型を有し、前記表示電極および対向電極は配線電極を介して接続電極パッドに接続する液晶表示パネルにおいて、前記画素部の隣接する複数の表示電極または対向電極を１組とし、該１組の表示電極または対向電極に対応する複数の接続電極パッドを前記表示領域の外周辺に対して直交方向に直列配置し、かつ表示領域から近い接続電極パッドの電極パッド幅を、表示領域から遠い接続電極パッドの電極パッド幅より狭く形成し、前記表示領域から遠い接続電極パッドに接続する配線電極を、前記接続電極パッド幅の差によって生じたスペースに配設したことを特徴とする液晶表示パネル。
【請求項２】
前記表示領域から近い接続電極パッドの面積と、表示領域から遠い接続電極パッド面積とは略同じ面積である請求項１記載の液晶表示パネル。
【請求項３】
前記１組の表示電極または対向電極と接続電極パッドとを接続する１組の配線電極には、各配線電極の配線電極抵抗を調整するための配線電極抵抗調整手段を設けた請求項１乃至２項のいずれか１項に記載の液晶表示パネル。
【請求項４】
前記配線電極抵抗調整手段が前記配線電極の電極幅を調整する手段である請求項３記載の液晶表示パネル。
【請求項５】
前記直列配置された接続電極パッドの数が３の倍数である請求項１乃至４項のいずれか１項に記載の液晶表示パネル。
【請求項６】
前記配線電極上には絶縁膜を設けた請求項１乃至５項のいずれか１項に記載の液晶表示パネル。
【発明の詳細な説明】
【技術分野】
【０００１】
本発明は液晶表示装置に係り、液晶表示パネルの配線電極と接続電極パッドの構造に関する。
【背景技術】
【０００２】
近年ＯＡ(Office Automation)機器の軽量・薄型・短小化や電子システム手帳などＰＤＡ(Personal Digital Assistance)機器の高機能・大画面化に伴い、液晶表示パネルの高密度化と有効表示面積の拡大要求は留まらない。
【０００３】
液晶表示パネルは対向する基板２枚のマトリックス状電極により基板間の液晶を駆動するが、液晶表示パネルの高密度化、すなわち画素の細密化によりそれぞれの表示電極は細ピッチとなり、これに伴い引き出し配線部および液晶表示パネル駆動回路を接合あるいは液晶表示パネル駆動集積回路を搭載する接続電極パッド部、いわゆる液晶表示パネルの額縁は更なる狭小化を迫られている。
【０００４】
液晶表示パネルの駆動回路は一般的に接続電極パッド部に直接液晶表示パネル駆動集積回路を搭載するＣＯＧ(Chip On Glass)実装、あるいは接続電極パッド部に液晶表示パネル駆動集積回路を搭載したテープフィルムの液晶表示パネル駆動回路を接続するＴＡＢ(Tape Automated Bonding)実装という方法があるが、いずれの方法においても接続パッド部は可能な限り大きくして液晶表示パネル駆動集積回路あるいは液晶表示パネル駆動集積回路を搭載したテープフィルムとの確実な導通と強固な接続が要求される。
【０００５】
図４は従来の液晶表示パネルの平面図であり、図５は図４に示す液晶表示パネルのＢ−Ｂ断面図である。図４において４００は液晶表示パネル、４０１は表示領域、４１３はＹ配線電極領域、４１６はＹ接続電極パッド領域、４２３はＸ配線電極領域、４２６はＸ接続電極パッド領域であり、４１１は表示領域４０１のＹ側外周辺、４２１は表示領域４０１のＸ側外周辺、Ａは後述する電極配線詳細部を示す。
【０００６】
図５に示す液晶表示パネルのＢ−Ｂ断面図はＣＯＧ実装で、接続電極パッド領域に液晶表示パネル駆動集積回路を直接搭載した例で説明する。前記液晶表示パネル４００の構成において、５１１は第１基板、５２１は第２基板、５０１は液晶層、５１２は表示電極群、５２２は対向電極群、５３０は液晶表示パネル駆動集積回路である。
【０００７】
液晶表示パネル４００の第１基板５１１と第２基板５２１は透明なガラス基板であって、第１基板５１１と第２基板５２１の対向する面にはそれぞれ表示電極群５１２と対向電極群５２２を設けてあり、この表示電極群５１２と対向電極群５２２との間には液晶を注入した液晶層５０１が存在する。
【０００８】
前記液晶表示パネル４００において、表示領域４０１には第１基板５１１上に設けた表示電極群５１２と、第２基板５２１上に設けられ、前記表示電極群５１２に直交する対向電極群５２２との電極の重なり部分にはマトリックス型の画素部が配置されている。画素部は行と列とに配置され、この表示領域４０１の表示電極群５１２からＹ配線電極領域４１３を介してＹ接続電極パッド領域４１６へ配線され、また対向電極群５２２からＸ配線電極領域４２３を介してＸ接続電極パッド領域４２６へ配線されている。そしてこのＹ接続電極パッド領域４１６およびＸ接続電極パッド領域４２６に液晶表示パネル駆動集積回路５３０を搭載している。
【０００９】
なお、図５の断面図では第２基板５２１上の対向電極群５２２からＸ配線電極領域４１３を経由してＸ接続電極パッド領域４２６へ導通する配線が存在して液晶表示パネル駆動集積回路を搭載してあるが、図５のＢ−Ｂ断面図には示していない。
【００１０】
また、対向電極群５２２は第２基板５２１側にあり、Ｘ配線電極領域４２３およびＸ接続電極パッド領域４２６を同一の第２基板５２１上に形成する場合と、Ｘ配線電極領域４２３とＸ接続電極パッド領域４２６とを第１基板５１１上に形成し、第２基板５２１側の対向電極群５２２と第１基板５１１側のＸ配線領域４２３とを、前記表示領域４０１のＸ側外周辺４２１に設けた接続電極により導通させる場合があり、本実施例では後者の構成を示している。
【００１１】
図４および図５で説明した液晶表示パネル構造においては、液晶表示パネルの高密度化、すなわち画素の細密化を行うと電極配置が平面構造であることから当然画素間隔は狭小となり、この結果、画素から液晶表示パネルの外周へ引き出す配線電極は細ピッチとなり、これに接続する接続電極パッド幅も配線電極と同様に狭小となってしまう。
【００１２】
しかし液晶表示パネル駆動集積回路を接続する接続電極パッド幅は可能な限り大きいことが望ましいことは先に述べた通りである。従来技術の液晶表示パネル構造における接続電極パッド幅の拡大手法を以下の図６にもとづいて説明する。
【００１３】
図６は従来技術の液晶表示パネルの配線図を示し、図４における電極配線詳細部Ａに対応する。図６において前記表示領域４０１に設けられた表示電極群は複数の表示電極Ｙ１、Ｙ２、Ｙ３等で形成され、前記対向電極群は複数の対向電極Ｘ１、Ｘ２、Ｘ３等で形成されており、表示電極群の各表示電極Ｙ１、Ｙ２、Ｙ３と対向電極群の各対向電極Ｘ１、Ｘ２、Ｘ３が直交交差する重なり部がひとつの画素を形成している。一例として表示電極Ｙ３と対向電極Ｘ１が重なる部分Ｇ１３がひとつの画素である。
【００１４】
前記表示領域４０１の隣接する表示電極Ｙ１、Ｙ２、Ｙ３を１組とした場合、前記Ｙ接続電極パッド領域４１６には、前記表示電極Ｙ１、Ｙ２、Ｙ３に対応して第１接続電極パッド６１６、第２接続電極パッド６１７、第３接続電極パッド６１８を設け、これらの接続電極パッド６１６、６１７、６１８は各々前記Ｙ配線電極領域４１３に設けた第１配線電極６１３、第２配線電極６１４、第３配線電極６１５により前記表示領域４０１の表示電極Ｙ１、Ｙ２、Ｙ３に接続されている。
【００１５】
同様に前記Ｘ接続電極パッド領域４２６には、前記表示領域４０１の隣接する対向電極Ｘ１、Ｘ２、Ｘ３を１組とした場合、これらの対向電極Ｘ１、Ｘ２、Ｘ３に対応して第１接続電極パッド６２６、第２接続電極パッド６２７、第３接続電極パッド６２８を設け、これらの接続電極パッド６２６、６２７、６２８は各々前記Ｘ配線電極領域４２３に設けた第１配線電極６２３、第２配線電極６２４、第３配線電極６２５により前記表示領域４０１の対向電極Ｘ１、Ｘ２、Ｘ３に接続されている。
【００１６】
しかしこれらの隣接する表示電極Ｙ１、Ｙ２、Ｙ３に対応する接続電極パッド６１６、６１７、６１８を前記表示領域４０１のＹ側外周辺４１１に対して平行に並べた場合には、隣接する接続電極パッド同士が接触しないように各接続電極パッド６１６、６１７、６１８の幅は各表示電極Ｙ１、Ｙ２、Ｙ３の幅と同じか前記各表示電極の幅以下に狭くする必要があり、画素の細密化を行うと液晶表示パネル駆動集積回路の接続に必要な接続電極パッド幅を確保できないという問題があった。
【００１７】
図６のＹ接続電極パッド領域４１６は、この問題を解決するための接続電極パッドの配置を示すもので、前記表示領域４０１のＹ側外周辺４１１に対して符号ＶＹおよび矢印で
示す直交方向に、前記１組の接続電極パッドである第１接続電極パッド６１６と第３接続電極パッド６１８は前記表示領域４０１に近い位置に、中央の第２接続電極パッド６１７は前記表示領域４０１より遠い位置に交互に配置し、前記第２接続電極パッド６１７への配線電極６１４は第１接続電極パッド６１６および第３接続電極パッド６１８の間に配置する、いわゆる千鳥配置としている。この結果、前記１組の表示電極Ｙ１、Ｙ２、Ｙ３の範囲幅１３０において接続電極パッドの幅を表示電極の幅より広くすることができる。
【００１８】
なお、上記説明においては隣接する表示電極Ｙ１、Ｙ２、Ｙ３を１組としての千鳥配置について説明したが、図６に示す如く前記表示領域４０１のすべての表示電極に対応する接続電極パッドを表示領域４０１のＹ側外周辺４１１に対して直交方向に、１個おきに交互に配置することで、前記Ｙ接続電極パッド領域４１６のすべての接続電極パッドが千鳥配置されるものである。同様に対向電極Ｘ１、Ｘ２、Ｘ３についても前記Ｘ接続電極パッド領域４２６のすべての接続電極パッドを、前記表示領域４０１のＸ側外周辺４２１に対して１個おきに交互に配置することで、前記Ｘ接続電極パッド領域４２６のすべての接続電極パッドが千鳥配置されるものである。
【００１９】
すなわち、従来技術の液晶表示パネルの接続電極パッドは、表示領域４０１に近い位置と表示領域４０１より遠い位置に、配線電極１本毎に接続電極パッドを交互に配置する千鳥配置として、表示領域４０１に近い接続電極パッドの間を表示領域４０１より遠い接続電極パッドへの接続電極を通すことで、各接続電極パッドを前記表示領域４０１の外周辺に対して平行に並べた場合より広い接続電極パッド幅を確保する構成が取られていた。
【００２０】
【特許文献１】特開２００２−１９６７０３
【発明の開示】
【発明が解決しようとする課題】
【００２１】
しかし、図６に示す千鳥配置された接続電極パッドにおいても、接続電極パッドを表示領域４０１の外周辺に対して平行に並べた場合に比べると、前記千鳥配置された場合の接続電極パッドの幅は前記平行に並べた場合の接続電極パッド幅の１．５倍以下にしかならない。
【００２２】
このことを図６により説明すると、Ｙ接続電極パッド領域４１６において、前記１組の表示電極Ｙ１、Ｙ２、Ｙ３に対応する接続電極パッド６１６、６１７、６１８の占めることができる幅１３０は、前記表示電極Ｙ１、Ｙ２、Ｙ３の幅、すなわち表示電極３個分の幅であり、表示領域４０１に近い位置に接続電極パッド６１６と６１８の２個を並べ、表示領域４０１より遠い位置に接続電極パッド６１７を配置する千鳥配置構造としてある。
【００２３】
従って、表示領域４０１に近い位置に配置する接続電極パッド６１６と６１８の確保できる最大電極幅は前記表示電極Ｙ１、Ｙ２、Ｙ３の３個分の幅を２等分した幅、すなわち前記表示電極１個の幅の１．５倍であるが、実際の前記接続電極パッド６１６と６１８の幅は表示電極Ｙ２と表示領域４０１より遠い位置の接続電極パッド６１７を接続する配線電極６１４を前記表示領域４０１に近い位置の接続電極パッド６１６と６１８の間を通す配線スペースの確保が必要なことから前記表示電極１個の幅の１．５倍には満たない。
【００２４】
さらに、液晶表示パネルの高密度化、すなわち画素の細密化を実施すると前記表示電極Ｙ１、Ｙ２等の表示電極幅が狭小となるばかりでなく、配線電極の抵抗を小さくするため電極幅をある程度広くし、また、線間絶縁確保のため配線電極と接続電極パッド間の間隙をある程度広くする必要があるので、前記表示領域４０１に近い位置の接続電極パッド６１６と６１８間を通す前記配線電極６１４の配線スペースが占める割合が増加するので前記接続電極パッド６１６、６１８等の電極パッド幅はさらに狭小となり、前述の接続電極
パッドを表示領域４０１の外周辺に対して平行に並べた場合との優位さがなくなる場合もある。
【００２５】
しかるに、接続電極パッドに液晶表示パネル駆動集積回路の電気的接続を行うには、接続電極パッドの大きさが一定面積以上ないと電気的接続の信頼性は確保できない。このため、前記接続電極パッド６１６、６１７等の電極パッドの形状は接続電極パッド幅が狭小な分だけ前記表示領域４０１のＹ側外周辺４１１に対して直交方向に長さを大きくして面積を確保する必要があった。この結果、画素の細密化に伴い接続電極パッドの形状が極端に細長い長方形となってしまい、この形状の悪さが液晶表示パネル駆動集積回路との電気的接続を行う上で信頼性を損なうという問題があった。
【００２６】
すなわち、本発明の目的は、液晶表示パネルと液晶表示パネル駆動回路あるいは液晶表示パネル駆動集積回路との確実な導通と強固な接続を実現することであり、構造的には接続電極パッド幅が画素ピッチの２倍以上の幅広を確保できて、長手方向、すなわち表示領域の外周辺に対して直交方向にも自由度があり、接続電極パッド面積設定が容易な液晶表示パネルを提供することであり、液晶表示パネルの高密度化に伴う狭小画素ピッチに起因する配線電極間の絶縁不良を防ぎ、電気的特性にも優れ、液晶表示パネル駆動集積回路設計の容易さも兼ね備えた信頼性の高い高密度化液晶表示パネルを提供することにある。
【課題を解決するための手段】
【００２７】
上記目的を達成するための本発明の液晶表示パネルは、第１の基板と第２の基板の間隙に液晶層を有し、前記第１の基板上に設ける表示電極と、第２の基板上に設ける対抗電極との重なり部を画素部として表示領域を形成し、該表示領域は複数の行と列に画素部を設けるマトリックス型を有し、前記表示電極および対向電極は配線電極を介して接続電極パッドに接続する液晶表示パネルにおいて、前記画素部の隣接する複数の表示電極または対向電極を１組とし、該１組の表示電極または対向電極に対応する複数の接続電極パッドを前記表示領域の外周辺に対して直交方向に直列配置し、かつ表示領域から近い接続電極パッドの電極パッド幅を、表示領域から遠い接続電極パッドの電極パッド幅より狭く（小さく）形成し、前記表示領域から遠い接続電極パッドに接続する配線電極を、前記接続電極パッド幅の差によって生じたスペースに配設したことを特徴とする。
【００２８】
すなわち、本発明の液晶表示パネルは複数の画素幅を１組の接続電極パッドと接続電極パッドの側辺を通す接続電極のエリアとして、前記１組の接続電極パッドを表示領域外周辺に対して直交方向に直列配置するので接続電極パッドの幅を十分に確保できるため、液晶表示パネル駆動回路あるいは液晶表示パネル駆動集積回路との確実な導通と強固な信頼性の高い接続ができる。
【００２９】
前記液晶表示パネルの前記表示領域から近い接続電極パッドの面積と、表示領域から遠い接続電極パッド面積とは略同じ面積であることを特徴とする。
【００３０】
すなわち、本発明の液晶表示パネルは前記表示領域から遠い接続電極パッドに接続する配線電極を前記表示領域から近い接続電極パッドの側辺を通すために前記表示領域から近い接続電極パッド幅は前記表示領域から遠い接続電極パッド幅より狭くなるが、長手方向を調節して前記表示領域からの遠近に関わらずすべての接続電極の面積を略同じにすることで液晶表示パネル駆動集積回路の接続条件を均質化できる。
【００３１】
前記液晶表示パネルの前記１組の表示電極または対向電極と接続電極パッドとを接続する１組の配線電極には、各配線電極の配線電極抵抗を調整するための配線電極抵抗調整手段を設けたことを特徴とする。
【００３２】
すなわち、本発明の液晶表示パネルは１組の接続電極パッドを表示領域外周辺に対して直交方向に直列配置してあるため表示領域に近い配線電極は短くて抵抗値は小さく、表示領域より遠い配線電極は長くて抵抗値は大きくなるが、各配線電極の配線電極抵抗を調整することで各接続電極パッド、すなわち、液晶表示パネル駆動回路側からみた液晶表示パネル駆動インピーダンス値を等しくできる。
【００３３】
前記液晶表示パネルの前記配線電極抵抗調整手段が前記配線電極の電極幅を調整する手段であることを特徴とする。
【００３４】
すなわち、本発明の液晶表示パネルは配線電極抵抗調整手段を配線電極の電極幅を調整することで配線抵抗調整部分の面積を増やすことなく各配線電極のインピーダンス値を均一化できる。
【００３５】
前記液晶表示パネルの前記直列配置された接続電極パッドの数が３の倍数であることを特徴とする。
【００３６】
すなわち、本発明の液晶表示パネルは１組の直列配置された接続電極パッドの数が３の倍数であることからカラー液晶表示パネルの表示色である３原色に対応した同じ接続電極パッド構成の繰り返し構造となり液晶表示パネル駆動集積回路の設計が容易となる。
【００３７】
前記液晶表示パネルの前記配線電極上には絶縁膜を設けたことを特徴とする。
【００３８】
すなわち、本発明の液晶表示パネルは配線電極上を絶縁膜で覆うことで電極間の汚れや湿度による絶縁不良発生がなく配線間隔あるいは接続電極パッドの側辺との距離を狭く細ピッチ化することが容易となる。
【発明の効果】
【００３９】
すなわち、本発明によれば、接続電極パッド幅が画素ピッチの２倍以上の幅広を確保でき、かつ、長手方向、すなわち表示領域側外周辺対する直交方向に対しても自由度があり接続電極パッド面積設定が容易な液晶表示パネルを実現できるため、液晶表示パネルと液晶表示パネル駆動回路あるいは液晶表示パネル駆動集積回路との確実な導通と強固な接続を実現でき、液晶表示パネルの高密度化に伴う狭小画素ピッチに起因する配線電極間の絶縁不良を防ぎ、さらに、液晶表示パネル駆動回路側からみた各表示電極の駆動インピーダンス値も均一化できることから電気的特性にも優れ、カラー液晶表示パネルの表示色である３原色に対応した接続電極パッドを形成することで液晶表示パネル駆動集積回路設計の容易さも兼ね備えた信頼性の高い高密度化液晶表示パネルを提供することができるのである。
【発明を実施するための最良の形態】
【００４０】
以下、本発明の実施形態について図面にもとづいて説明する。本発明の液晶表示パネルの基本構造は先の図４の平面図、図５の断面図に示した従来の一般的な液晶表示パネルと共通する。
【実施例】
【００４１】
図１は本発明の実施例であり、液晶表示パネルの詳細配線図であって、図４に示す液晶表示パネルのＡ部の詳細配線図である。図２ａ、図２ｂ、図２ｃは図１に示す接続電極パッドの断面図であって、図２ａは図１に示す第１接続電極パッド１１６のＣ１の断面、図２ｂは図１に示す第２接続電極パッド１１７のＣ２の断面、図２ｃは図１に示す第３接続電極パッド１１８のＣ３の断面を示す。図３は図１に示す本発明の配線電極と接続電極パッド構造の詳細平面図である。
【００４２】
図１において、前記表示領域４０１は、Ｙ方向は表示電極Ｙ１、Ｙ２、Ｙ３を形成し、Ｘ方向は対向電極Ｘ１、Ｘ２、Ｘ３を形成しており、表示電極Ｙ１、Ｙ２、Ｙ３と対向電極Ｘ１、Ｘ２、Ｘ３とが直交交差するマトリックス型である。そして表示電極Ｙ１、Ｙ２、Ｙ３と対向電極Ｘ１、Ｘ２、Ｘ３の重なり部がひとつの画素を形成しており、符号Ｇ１１、Ｇ１２、Ｇ１３、Ｇ２１、Ｇ２２、Ｇ２３、Ｇ３１、Ｇ３２、Ｇ３３で示す交点が各画素である。本実施例においてはそれぞれ隣接する３個の表示電極Ｙ１、Ｙ２、Ｙ３を一組とし、隣接する３個の対向電極Ｘ１、Ｘ２、Ｘ３を一組としており、以下、一例として隣接する３個の表示電極Ｙ１、Ｙ２、Ｙ３に関わる配線構造を説明する。
【００４３】
前記Ｙ接続電極パッド領域４１６には表示領域４０１のＹ側外周辺４１１に対して符号ＶＹおよび矢印で示す直交方向に直列配置した３個で１組の第１接続電極パッド１１６、第２接続電極パッド１１７、第３接続電極パッド１１８を設けある。前記Ｙ接続電極パッド領域４１６内の第１接続電極パッド１１６、第２接続電極パッド１１７、第３接続電極パッド１１８は、表示電極Ｙ１、Ｙ２、Ｙ３を含む表示領域４０１のＹ側外周辺４１１に対して直交方向に表示領域４０１の近くから第１接続電極パッド１１６、第２接続電極パッド１１７、第３接続電極パッド１１８の順に直列配置してある。
【００４４】
また、Ｙ接続電極パッド領域４１６内の第１接続電極パッド１１６、第２接続電極パッド１１７、第３接続電極パッド１１８の形状は前記Ｙ側外周辺４１１に対する平行辺の長さが異なっている。すなわち図３に示すように、表示領域に近い第１接続電極パッド１１６の平行辺Ｌ１の長さが最も短く、以下第２電極パッド接続１１７の平行辺Ｌ２、第３接続電極パッド１１８の平行辺Ｌ３の順に長くなっている。
【００４５】
そしてこれらの各Ｙ接続電極パッドは図１に示す如く、前記Ｙ側外周辺４１１に対する一方の直交辺を揃えて配置することにより、他方の直行辺側に前記各Ｙ接続電極パッドの平行辺の長さの差にもとづく配線スペースを形成する。そしてこの配線スペースに前記Ｙ配線電極領域４１３の第２配線電極１１４、第３配線電極１１５を配設するのである。すなわち表示電極Ｙ１と第１接続電極パッド１１６を接続する第１配線電極１１３は直接配線してあるが、表示電極Ｙ２と第２接続電極パッド１１７を接続する第２配線電極１１４は前記第１接続電極パッド１１６と、第２接続電極パッド１１７との平行辺の長さの差にもとづく配線スペースに配設し、また表示電極Ｙ３と第３接続電極パッド１１８を接続する第３配線電極１１５は前記第２接続電極パッド１１７と、前記第３接続電極パッド１１８との平行辺の長さの差にもとづく配線スペースに配設してある。
【００４６】
本実施例では表示電極Ｙ１と第１接続電極パッド１１６間は第１配線電極１１３を介して接続してあり、同様に隣接する表示電極Ｙ２、Ｙ３と接続電極パッド１１７、１１８間は他の接続電極パッドを避けて配線電極１１４、１１５を介して接続してある。従って、表示領域４０１から近い第１接続電極パッド１１６の電極パッド幅は狭く、第２接続電極パッド１１７、第３接続電極パッド１１８の順に接続電極パッド幅は広くなり、各接続電極パッド１１６、１１７、１１８の平行辺の長さに差異が生じるが、本実施例においては、各接続電極パッド１１６、１１７、１１８の直交辺の長さを変えることで各接続電極パッド１１６、１１７、１１８の面積を略同じにしている。
【００４７】
また、前記Ｙ接続電極パッド領域４１６の第１接続電極パッド１１６、第２接続電極パッド１１７、第３接続電極パッド１１８は表示領域４０１の隣接する表示電極Ｙ１、Ｙ２、Ｙ３と対応していて、それぞれをＹ配線領域４１３の第１配線電極１１３、第２配線電極１１４、第３配線電極１１５を介して接続してある。また１０６は絶縁膜であり、前記Ｙ配線電極領域４１３、Ｙ接続電極パッド領域４１６の全面に形成してある。
【００４８】
Ｙ接続電極パッド領域４１６には図５で図示した液晶パネル駆動集積回路５３０を搭載するが、前記各接続電極パッド１１６、１１７、１１８には前記液晶パネル駆動集積回路５３０の接続部に合わせて絶縁膜１０６に絶縁膜開口１１６ａ、１１７ａ、１１８ａを設けてあり、前記液晶パネル駆動集積回路５３０の対応する電極と各接続電極パッド１１６、１１７、１１８は前記絶縁膜開口１１６ａ、１１７ａ、１１８ａを通して導通接続を行うのである。
【００４９】
次に本発明の配線電極と接続電極パッドの配設位置関係を断面図により詳述する。図２ａ、図２ｂ、図２ｃにおいて、図２ａは第１接続電極パッド１１６のＣ１の断面であって、第１基板５１１上に前記Ｙ側外周辺４１１に対する平行辺の長さがＬ１の第１接続電極パッド１１６と第２配線電極１１４および第３配線電極１１５を配設し、前記第１接続電極パッド１１６の絶縁膜開口１１６ａを除く周辺部と前記第２配線電極１１４および第３配線電極１１５の全面を絶縁膜が覆っている状態を示す。
【００５０】
同様に、図２ｂは第２接続電極パッド１１７のＣ２の断面であって、第１基板５１１上に平行辺の長さがＬ２の第２接続電極パッド１１７と第３配線電極１１５を配設し、前記第２接続電極パッド１１７の絶縁膜開口１１７ａを除く周辺部と前記第３配線電極１１５の全面を絶縁膜が覆っている状態を示す。図２ｃは第３接続電極パッド１１８のＣ３の断面であって、第１基板５１１上に平行辺の長さがＬ３の第３接続電極パッド１１８を配設し、前記第３接続電極パッド１１８の絶縁膜開口１１８ａを除く周辺部を絶縁膜が覆っている状態を示す。
【００５１】
すなわち、接続電極パッドの絶縁膜開口を除く周辺部と配線電極の全面を絶縁膜で覆い、接続電極パッドの形状は配線電極を前記接続電極パッドの側辺を通すため、前記接続パッドの外周辺に平行な平行辺の長さが表示領域に近い接続電極パッドから順に長くなっている状態を示す。
【００５２】
なお、接続パッドは極力幅広が望ましいことは前述の通りである。このために前記接続パッドの側辺を通す配線電極の幅と間隔および前記接続パッドと前記接続パッドの側辺を通す前記配線電極の間隔を狭くする必要があるが、前述のごとく本発明は各電極間の間隔を狭めても液晶パネル駆動集積回路の対応する電極と導通接続を行う各接続電極パッドの絶縁膜開口以外のＹ配線電極領域４１３とＹ接続電極パッド領域４１６上は絶縁膜１０６で覆ってあるため、これらの電極間を狭めても湿度や汚れによる電極間の絶縁不良は発生しない。
【００５３】
なお、上記表示領域の電極材料には透明性に優れた酸化インジウムスズ（ＩＴＯ：Indium Tin Oxide）膜など、配線電極や接続電極パッドには主として金属系のアルミニウム膜など、絶縁膜にはシリコンの酸化あるいは窒化膜等で生成する。
【００５４】
次に配線電極と接続電極パッドの詳細構造を図３にもとづいて詳述する。図３は本発明の配線電極と接続電極パッド構造の詳細平面図であって、ここでも隣接する３個の表示電極Ｙ１、Ｙ２、Ｙ３に関わる１組の配線構造を説明する。
【００５５】
図３において３０９は配線電極抵抗調整領域であり、前記配線電極の一部に設けてある。前記配線電極抵抗調整領域３０９において、１１３ａは第１配線電極１１３の配線電極抵抗調整部、１１４ａは第２配線電極１１４の配線電極抵抗調整部であり、本来の第１配線電極１１３、第２配線電極１１４の配線経路の一部であって電極幅が狭小となっている箇所である。
【００５６】
前記第１配線電極１１３の配線電極抵抗調整部１１３ａの電極幅の狭小箇所の長さに比
べて前記第２配線電極１１４の配線電極抵抗調整部１１４ａの電極幅の狭小箇所の長さは短く、第３配線電極１１５には電極幅の狭小な配線電極抵抗調整部は設けていない。
【００５７】
この配線電極抵抗調整領域３０９を設ける理由は、前記接続電極パッド１１６、１１７、１１８が前記表示領域４０１のＹ側外周辺４１１に対して直交方向に直列配置してあるため、前記配線電極１１３、１１４、１１５の長さは表示領域４０１から遠いほど長くなり、その配線抵抗が増すことになる。従って、表示領域４０１から接続電極パッド１１６、１１７、１１８までの配線電極抵抗値に差異が生じ、各接続電極パッドから見た液晶示電極の駆動条件が異なることになり、画質低下の要因となるのである。
【００５８】
この画質低下を防ぐために本発明の液晶表示パネルは、１組の配線電極の各配線電極１１３、１１４、１１５の経路に配線電極抵抗調整領域３０９を設けて各配線電極の経路条件を変えることで表示領域４０１から接続電極パッド１１６、１１７、１１８までの配線電極抵抗値を揃えているのである。
【００５９】
なお、第３接続電極パッド１１８には配線電極抵抗調整部を設けていないが、第３接続電極パッド１１８は表示領域４０１から最も遠い位置にあり、配線電極長が最も長く、配線電極抵抗値が高いので、この第３配線電極１１５の配線電極抵抗を基準に他の第１配線電極１１３および第２配線電極１１４の配線電極抵抗調整部１１３ａ、１１４ａの配線の経路、すなわち配線電極幅あるいは長さをそれぞれ変えることで表示領域４０１から接続電極パッド１１６、１１７、１１８までの各配線電極抵抗値を揃えるのである。
【００６０】
以上、本発明の電極構造は隣接する３個の表示電極Ｙ１、Ｙ２、Ｙ３に関わる配線構造について説明したが、３個の表示電極はカラー液晶表示パネルの表示色である３原色に対応するもので、隣接した３原色の画素を１組とすることで、全体の接続電極パッド構成を各カラー画素同士が同一条件で配置される構造となる。
【００６１】
例えば、１組の表示電極に対して、表示電極Ｙ１の列のＹ接続電極パッド１１６には緑（Ｇ）色の信号を入力し、表示電極Ｙ２の列のＹ接続電極パッド１１７には赤（Ｒ）色の信号を入力し、表示電極Ｙ３の列のＹ接続電極パッド１１８には青（Ｂ）色の信号を入力する。このような構成とすれば、各カラー画素の駆動条件を同一にできるとともに、液晶パネル駆動回路側の接続電極パッドに出力する信号も、接続電極パッド位置ごとに同一パターンの繰り返しとなるため液晶表示パネル駆動集積回路の設計も容易になる。
【００６２】
また、本発明の液晶パネルはこれら隣接する画素に対する表示電極または対向電極の３の個を１組とする配線ブロックを形成し、前記配線ブロックを表示領域の外周辺に対して水平方向に連ねた構造としている。さらに、この隣接する画素に対応した電極の数を３の倍数（３×Ｎ）を１組とすることで、接続電極パッドの平行方向の幅はさらに広くすることができる。
【００６３】
以上は本発明の液晶表示パネルのＹ方向に関する電極構造の詳細であるが、Ｘ方向に関する電極構造もＹ方向に関する電極構造と同じ構造としてある。
【００６４】
また、上記各実施例では液晶表示パネル駆動回路をＣＯＧ実装にもとづいて説明したが、ＴＡＢ実装にも適用でき、また、表示領域はアクティブ型液晶表示パネルやパッシブ型液晶表示パネルの双方に適用できることは当然である。
【００６５】
すなわち、本発明の液晶表示パネルは隣接する複数の表示電極または対向電極を１組とする前記１組の表示電極または対向電極幅内に、前記１組の表示電極または対向電極に対応する複数の接続電極パッドを、表示領域外周辺に対して直交方向に直列配置し、前記表
示領域から遠い接続電極パッドに接続される配線電極は前記表示領域から近い接続電極パッドの側辺を通すという接続電極パッド部の効率的配置構造であることから、高密度化された液晶表示パネルの微細画素に対して長手方向の自在な接続電極パッドを形成できて、液晶表示パネル駆動回路あるいは液晶表示パネル駆動集積回路との確実な導通と強固な信頼性の高い接続ができる。
【図面の簡単な説明】
【００６６】
【図１】本発明の実施例であり、液晶表示パネルの詳細配線図である。
【図２ａ】図１に示す接続電極パッドの断面図である。
【図２ｂ】図１に示す接続電極パッドの断面図である。
【図２ｃ】図１に示す接続電極パッドの断面図である。
【図３】図１に示す本発明の配線電極と接続電極パッド構造の詳細平面図である。
【図４】従来の液晶表示パネルの平面図である。
【図５】図４に示す液晶表示パネルのＢ−Ｂ断面図である。
【図６】従来技術の液晶表示パネルの配線図である。
【符号の説明】
【００６７】
１０６  絶縁膜
１１３、６１３    第１配線電極
１１４、６１４    第２配線電極
１１５、６１５    第３配線電極
１１３ａ    配線電極抵抗調整部
１１４ａ    配線電極抵抗調整部
１１６、６１６    第１接続電極パッド
１１７、６１７    第２接続電極パッド
１１８、６１８    第３接続電極パッド
４００    液晶表示パネル
４０１    表示領域
４１３    Ｙ配線電極領域
４１６    Ｙ接続電極パッド領域
４２３    Ｘ配線電極領域
４２６    Ｘ接続電極パッド領域
５０１    液晶層
５１１    第１基板
５１２    表示電極群
５２１    第２基板
５２２    対向電極群
５３０    液晶表示パネル駆動集積回路
Ｘ１、Ｘ２、Ｘ３    対向電極
Ｙ１、Ｙ２、Ｙ３    表示電極
【図１】
2006227229.tif 000003
【図２ａ】
2006227229.tif 000004
【図２ｂ】
2006227229.tif 000005
【図２ｃ】
2006227229.tif 000006
【図３】
2006227229.tif 000007
【図４】
2006227229.tif 000008
【図５】
2006227229.tif 000009
【図６】
2006227229.tif 000010